(57)【要約】【課題】アルミニウム系金属製のケース本体と蓋体とを溶接で接合しても、蓋体に設けられた安全弁が適切な圧力で開放するようにする。【解決手段】二次電池１０は、電極組立体１２を収容するアルミニウム系金属製のケース１１を備えており、ケース１１は、開口部を有するケース本体１３と、ケース本体１３の開口部を塞ぐ蓋体１４とが溶接によって接合されている。蓋体１４は、ケース１１内の圧力をケース１１外に開放させる安全弁２７を有し、かつ安全弁２７を開放する圧力が設定された圧力から逸脱しないように蓋体１４の変形を抑制するリブ３０を蓋体１４の裏側に有する。リブ３０は、蓋体１４の鋳造時に可溶性中子を用いて形成されている。【選択図】図１
2014164850.tif 000002
【特許請求の範囲】
【請求項１】
電極組立体を収容するアルミニウム系金属製のケースを備えた蓄電装置であって、
前記ケースは、開口部を有するケース本体と、前記ケース本体の前記開口部を塞ぐ蓋体とが溶接によって接合されており、
前記蓋体は、前記ケース内の圧力を前記ケース外に開放させる安全弁を有し、かつ前記安全弁を開放する圧力が設定された圧力から逸脱しないように前記蓋体の変形を抑制するリブを前記蓋体の裏側に有し、
前記リブは、前記蓋体の鋳造時に可溶性中子を用いて形成されていることを特徴とする蓄電装置。
【請求項２】
前記蓋体は扁平であり、前記リブは、前記安全弁を挟んで前記蓋体の長手方向と交差する方向に延びる部分が、少なくとも２箇所存在する請求項１に記載の蓄電装置。
【請求項３】
前記リブは、格子状に形成されている請求項１又は請求項２に記載の蓄電装置。
【請求項４】
前記可溶性中子は塩中子である請求項１〜請求項３のいずれか１項に記載の蓄電装置。
【発明の詳細な説明】
【技術分野】
【０００１】
本発明は、蓄電装置に係り、詳しくはケース内の圧力をケース外に開放させる安全弁を有する蓋体を備えた蓄電装置に関する。
【背景技術】
【０００２】
二次電池やキャパシタのような蓄電装置は再充電が可能であり、繰り返し使用することができるため電源として広く利用されている。一般に、容量の大きな蓄電装置は電極体を収容するケースを備え、そのケース内に電極体が収容されている。
【０００３】
従来、二次電池のケースは、ケース本体と蓋体とは別部品として構成され、電極体を収容した後、ケース本体の開口部を覆うように蓋体が溶接によりに固着される。また、ケースは、過充電等によりケース内の電極体（発電要素）の反応が過度に進行して、ケース内部にガスが発生、蓄積して内圧が異常に上昇するのを防止するため、内圧が設定された圧力以上になると内部ガスを抜気する安全弁を備えている。
【０００４】
蓄電装置の軽量化を図るため、アルミニウム製のケースが多く使用されている。従来、アルミニウム製のケース本体と蓋体とを高密度熱源溶接により接合し、容器内部を高温度にすることなく、密封性高くかつルート割れを起こさない密封容器及び密封容器の製造方法が提案されている（特許文献１参照）。特許文献１には、図５（ａ）に示すように、アルミニウム又はアルミニウム合金からなる容器本体６１及び蓋体６２を、スラブレーザを用いて溶融接合部６３の深さＤと、溶融接合部６３の幅Ｗとの比であるアスペクト比（Ｄ／Ｗ）が１〜５の範囲になるように接合する密封容器の製造方法及び密封容器が開示されている。
【０００５】
また、リチウム電池等の非水電解液電池において、電池容器の一部を形成しかつ貫通孔が開口した蓋板と、貫通孔を貫通した電極端子と、蓋板と電極端子との間に配置されたシール部材とを有する電池容器用封口板であって、蓋板は、シール部材の外周部の少なくとも一部に補強用リブを有する電池容器用封口板が提案されている（特許文献２参照）。
【０００６】
補強用リブは、シール部材の外周部において、シール部材の全周にわたって設けられていること、蓋板を部分的に厚くし、この厚肉部を補強リブとすること、補強リブは、蓋板を凸状に曲成してなること等が記載されている。そして、図６に示すように、補強用リブ７１を電池容器の内部方向に突出した形態、即ち蓋板７２の裏面に設けた形態としてもよい旨も記載されている。
【先行技術文献】
【特許文献】
【０００７】
【特許文献１】特開平１１−１０４８６６号公報
【特許文献２】特開２００７−１７９８０３号公報
【発明の概要】
【発明が解決しようとする課題】
【０００８】
ところが、特許文献１の構成では、蓋体６２の周囲を溶接すると、その溶接熱によって安全弁の開放圧が変化する虞がある。これは、溶接の際に溶融部分が凝固するときに凝固収縮するため、図５（ｂ）に２点鎖線で示すように、蓋体６２が外側に凸の形状に反ることによる。なお、図５（ｂ）では分かり易くするため、反りを強調して図示している。安全弁の開放圧が変化すると、安全弁を適切な開放圧で開放させることができない虞がある。蓋体６２の材料をアルミニウムよりヤング率の大きな金属に代えれば、反りが少なくなるが、軽量化ができなくなる。
【０００９】
また、特許文献２では、リチウム電池の膨張や収縮が生じても、蓋体と電極端子とをシールするシール部材のシール性を確保することを目的として補助リブを設けており、安全弁に関しては何ら記載されていない。また、補助リブの断面形状や幅や蓋板からの突出量に関して特に制約はなく、蓋板を凸状に曲成してなる補助リブも例示されている。ところが、蓋板を凸状に曲成してなる補助リブや、アルミニウム系金属を補助リブに対応する溝を有する金型で鋳造した蓋板に形成された補助リブでは、幅が狭い補助リブや断面矩形状（ピン角を有する形状）の補助リブを製造することは難しい。そのため、補助リブを蓋板の裏面に設けると、補助リブと電極体との干渉を避けるためケースが大型化する。
【００１０】
本発明は前記の問題点に鑑みてなされたものであって、その目的は、アルミニウム系金属製のケース本体と蓋体とを溶接で接合しても、蓋体に設けられた安全弁が適切な圧力で開放することができる蓄電装置を提供することにある。
【課題を解決するための手段】
【００１１】
上記課題を解決する蓄電装置は、電極組立体を収容するアルミニウム系金属製のケースを備えた蓄電装置であって、前記ケースは、開口部を有するケース本体と、前記ケース本体の前記開口部を塞ぐ蓋体とが溶接によって接合されている。前記蓋体は、前記ケース内の圧力を前記ケース外に開放させる安全弁を有し、かつ前記安全弁を開放する圧力が設定された圧力から逸脱しないように前記蓋体の変形を抑制するリブを前記蓋体の裏側に有し、前記リブは、前記蓋体の鋳造時に可溶性中子を用いて形成されている。ここで、「アルミニウム系金属」とは、工業用純アルミニウム（例えば、Ａ１０００系アルミニウム）やアルミニウム合金（例えば、Ａ３０００系アルミニウム合金）等のようにアルミニウムを主成分とする金属を意味する。
【００１２】
この構成によれば、ケース本体の開口部を塞ぐように蓋体をケース本体に溶接する際、溶融部分が凝固するときの凝固収縮により蓋体が外側に凸の形状に反るように変形しようとするが、蓋体の裏側に存在するリブの作用により、蓋体は安全弁を開放する圧力が予め設定された圧力から逸脱しないように変形が抑制される。そのため、蓄電装置の安全弁は、蓄電装置の内部圧力が予め設定された圧力になると開放される。したがって、アルミニウム系金属製のケース本体と蓋体とを溶接で接合しても、蓋体に設けられた安全弁が適切な圧力で開放することができる。また、リブは、蓋体の鋳造時に可溶性中子を用いて形成されているため、幅が狭いリブや断面矩形状のリブを容易に製造することができ、ケースを大型化せずに所望の形状のリブを蓋体の裏側に形成することができる。
【００１３】
前記蓋体は扁平であり、前記リブは、前記安全弁を挟んで前記蓋体の長手方向と交差する方向に延びる部分が、少なくとも２箇所存在することが好ましい。この構成によれば、リブに蓋体の長手方向と交差する方向に延びる部分が存在せず、長手方向に延びる部分だけ、あるいは長手方向と交差する方向に延びる部分が１箇所だけ存在する場合に比べて、蓋体の変形を抑制することができる。
【００１４】
前記リブは、格子状に形成されていることが好ましい。この構成によれば、リブは、蓋体の長手方向と交差する方向に延びる部分が安全弁を挟んで少なくとも２箇所存在するとともに、蓋体の長手方向に延びる部分も２箇所以上存在するため、蓋体の変形をより抑制することができる。
【００１５】
前記可溶性中子は塩中子であることが好ましい。可溶性中子には、塩中子の他に例えば石灰中子があるが、塩中子の方が中子の製造及び蓋体の鋳造後の中子除去作業が容易になる。
【発明の効果】
【００１６】
本発明によれば、アルミニウム系金属製のケース本体と蓋体とを溶接で接合しても、蓋体に設けられた安全弁が適切な圧力で開放することができる。
【図面の簡単な説明】
【００１７】
【図１】（ａ）は二次電池の模式断面図、（ｂ）は正極端子の取り付け状態を示す断面図。
【図２】封止部材や安全弁等を取り付ける前の蓋体を示し、（ａ）は蓋体の幅方向の中央で切断した断面図、（ｂ）は蓋体の裏面図。
【図３】第１の金型の概略斜視図。
【図４】（ａ），（ｂ）は別の実施形態の蓋体の部分裏面図。
【図５】（ａ）は従来技術の接合部の断面示す模式図、（ｂ）は蓋体の反りを示す模式図。
【図６】別の従来技術の断面図。
【発明を実施するための形態】
【００１８】
以下、二次電池に具体化した一実施形態を図１〜図３にしたがって説明する。
図１（ａ）に示すように、蓄電装置としての二次電池１０は、ケース１１に電極組立体１２が収容されている。また、ケース１１には、電解液（図示せず）も収容されている。ケース１１は、有底四角筒状のケース本体１３と、ケース本体１３に電極組立体１２を挿入する開口部を閉塞する蓋体１４とからなる。ケース本体１３と蓋体１４とは溶接によって接合されている。この実施形態の二次電池１０は、リチウムイオン二次電池である。ケース本体１３及び蓋体１４はアルミニウム系金属製である。
【００１９】
蓋体１４には正極端子１５及び負極端子１６が固定されている。正極端子１５及び負極端子１６は、雄ねじ部１５ａ，１６ａ及び鍔部１５ｂ，１６ｂを有し、蓋体１４に形成された孔を、鍔部１５ｂ，１６ｂがケース１１の内側に位置する状態で貫通して蓋体１４から突出する雄ねじ部１５ａ，１６ａに螺合するナット１７により、蓋体１４に締め付け固定されている。正極端子１５及び負極端子１６は、複数の二次電池１０を電気的に接続するバスバー１８をボルト１９により締め付け固定可能に構成されている。
【００２０】
詳述すると、図１（ｂ）に示すように、正極端子１５にはその上端からねじ穴２０が形成され、ねじ穴２０に螺合されるボルト１９によりバスバー１８が正極端子１５に締結固定されるようになっている。なお、ナット１７と蓋体１４との間には絶縁部材２１が設けられている。また、正極端子１５の鍔部１５ｂと蓋体１４との間にはＯーリング２２が介在する。図示しないが、負極端子１６にも同様にねじ穴が形成され、そのねじ穴に螺合されるボルト１９によりバスバー１８が負極端子１６に締結固定されるようになっている。また、負極端子１６においてもナット１７と蓋体１４との間には絶縁部材が設けられ、鍔部１６ｂと蓋体１４との間にＯーリングが介在する。
【００２１】
図１（ａ）に示すように、正極端子１５は鍔部１５ｂに接合された導電部材２３を介して電極組立体１２の正極タブ１２ｐに電気的に接続されている。負極端子１６は鍔部１６ｂに接合された導電部材２４を介して電極組立体１２の負極タブ１２ｎに電気的に接続されている。
【００２２】
次に蓋体について詳述する。
図１（ａ）に示すように、蓋体１４には、ケース１１内に電解液を注入するための注液孔２５が設けられており、注液孔２５は封止部材２６により閉塞されている。封止部材２６はアルミニウム系金属製で、蓋体１４に溶接されている。
【００２３】
蓋体１４には、ケース１１内の圧力が設定された圧力に上昇したときに開放する安全弁２７が設けられている。安全弁２７はアルミニウム系金属製で、蓋体１４に形成された安全弁取り付け孔２８内に溶接で取り付けられている。
【００２４】
図２（ａ），（ｂ）に示すように、蓋体１４は、１個の注液孔２５と、１個の安全弁取り付け孔２８と、２個の電極端子取り付け孔２９とを有する。電極端子取り付け孔２９は蓋体１４の長手方向端部寄りに設けられ、安全弁取り付け孔２８は蓋体１４の中央に設けられている。注液孔２５は安全弁取り付け孔２８と一方の電極端子取り付け孔２９との中間に設けられている。
【００２５】
図２（ｂ）に示すように、蓋体１４は扁平であり、安全弁２７を開放する圧力が設定された圧力から逸脱しないように蓋体１４の変形を抑制するリブ３０を裏側に有する。リブ３０は、蓋体１４の長手方向と交差する方向に延びる部分３０ａが、少なくとも２箇所存在する。この実施形態では、リブ３０は、蓋体１４の長手方向と交差する方向に延びる部分３０ａが４箇所に存在し、蓋体１４の長手方向に延びる部分３０ｂが４箇所に存在する。また、蓋体１４の裏側には、蓋体１４の長手方向と交差する方向に延びるリブ３１が、各電極端子取り付け孔２９を挟んでそれぞれ１組ずつ設けられている。リブ３０，３１は断面形状が矩形に形成されている。
【００２６】
蓋体１４の長手方向と交差する方向に延びる部分３０ａは、安全弁取り付け孔２８を挟んで、かつ安全弁取り付け孔２８に対して安全弁取り付け孔２８と注液孔２５との距離より近い位置に２箇所と、安全弁取り付け孔２８に対して注液孔２５より離れた対称位置にそれぞれ１箇所設けられている。この実施形態では部分３０ａは蓋体１４の長手方向と直交する方向に延び、蓋体１４の長手方向に対する角度が９０°となるように設けられている。
【００２７】
また、蓋体１４の長手方向に延びる４箇所の部分３０ｂのうち２箇所の部分３０ｂは、注液孔２５及び安全弁取り付け孔２８を挟んで平行に、かつその両端がリブ３１の近くまで延びる状態で設けられ、残りの２箇所の部分３０ｂは、蓋体１４の幅方向の中央において安全弁取り付け孔２８を挟む状態に設けられている。各部分３０ａは、部分３０ｂと直交する状態に設けられており、リブ３０は格子状に形成されている。また、リブ３０は、安全弁取り付け孔２８の周囲を四角状に囲む部分を有する。
【００２８】
次に前記のように構成された蓋体１４の製造方法を図３に基づいて説明する。
蓋体１４は、ダイカスト鋳造により製造される。図３に示すように、鋳造に使用される金型の下型４１は、キャビティ４２内に可溶性中子としての塩中子４３がセットされた状態で使用される。塩中子４３はキャビティ４２の底部側全体を覆う状態に設けられ、蓋体１４の注液孔２５を形成すべき位置に、対応する形状の凸部４４ａが形成され、安全弁取り付け孔２８を形成すべき位置に、対応する形状の凸部４４ｂが形成され、電極端子取り付け孔２９を形成すべき位置に、それぞれ対応する形状の凸部４４ｃが形成されている。また、蓋体１４のリブ３０を形成すべき位置に対応する形状の溝４５ａが形成され、リブ３１を形成すべき位置にそれぞれ対応する形状の溝４５ｂが形成されている。なお、下型４１には、キャビティ４２の長手方向の一端側に溶融金属（溶湯）の注入口４１ａが形成され、他端側に排出口４１ｂが形成されている。
【００２９】
この下型４１を有する金型を使用して、図示しない上型で下型４１のキャビティ４２を覆うように金型を閉じた状態で、キャビティ４２内に溶融状態のアルミニウム系金属を加圧状態で注入、充填する。冷却後、金型を開き、鋳造された蓋体１４を取り出した後、塩中子４３を水洗除去する。
【００３０】
中子を使用せずに、中子に対応した形状の凸部及び溝を有する下型４１を有する金型を使用して蓋体１４を製造した場合は、リブ３０，３１の断面形状が矩形状で細い場合、蓋体１４を下型４１から取り外す際に、リブ３０，３１の一部（角部分）欠け易い。しかし、塩中子４３を使用した場合はそのようなことを回避することができる。
【００３１】
また、塩中子４３は、型によるプレス加工で形成され、塩中子４３の表面にはプレス型の表面の滑らかさが転写される。そのため、砂中子を使用した場合と異なり、塩中子４３は表面が滑らかで、その表面粗さが蓋体１４に転写されるため、二次加工なしに蓋体１４を形成することができる。
【００３２】
前記のように構成された蓋体１４をケース本体１３に接合する場合、電極組立体１２をケース本体１３の開口部からケース本体１３内に挿入した後、蓋体１４がケース本体１３の開口部を覆い、ケース本体１３と当接した状態で、蓋体１４をケース本体１３に溶接する。
【００３３】
蓋体１４を構成するアルミニウム系金属はヤング率が低いため、ケース本体１３の開口部を塞ぐように蓋体１４をケース本体１３に溶接する際、溶融部分が凝固するときの凝固収縮により蓋体１４が外側に凸の形状に反るように変形しようとする。しかし、蓋体１４の裏側に存在するリブ３０の作用により、蓋体１４は安全弁２７を開放する圧力が予め設定された圧力から逸脱しないように変形が抑制される。
【００３４】
二次電池１０を複数個の二次電池１０からなる電池モジュールとして使用する場合は、隣り合う二次電池１０を電気的に接続するバスバー１８が正極端子１５あるいは負極端子１６のねじ穴２０に螺合する締結手段としてのボルト１９により、正極端子１５あるいは負極端子１６に締め付け固定される。その際、ナット１７をスパナで固定して回り止めした状態でボルト１９を回転させる。リブ３１が蓋体１４の表側に設けられている場合は、リブ３１を電極端子取り付け孔２９の近くに設けると、ナット１７の回り止めを行うスパナがリブ３１と干渉する。しかし、リブ３１が蓋体１４の裏側に設けられているため、そのような虞はない。
【００３５】
この実施形態によれば、以下に示す効果を得ることができる。
（１）蓄電装置としての二次電池１０は、電極組立体１２を収容するアルミニウム系金属製のケース１１を備えており、ケース１１は、開口部を有するケース本体１３と、ケース本体１３の開口部を塞ぐ蓋体１４とが溶接により接合されている。蓋体１４は、ケース１１内の圧力をケース１１外に開放させる安全弁２７を有し、かつ安全弁２７を開放する圧力が設定された圧力から逸脱しないように蓋体１４の変形を抑制するリブ３０を蓋体１４の裏側に有する。したがって、アルミニウム系金属製のケース本体１３と蓋体１４とを溶接で接合しても、蓋体に設けられた安全弁２７が適切な圧力で開放することができる。  
【００３６】
（２）リブ３０は、蓋体１４の鋳造時に可溶性中子としての塩中子４３を用いて形成されているため、幅が狭いリブ３０や断面矩形状のリブ３０を容易に製造することができ、ケース１１を大型化せずに所望の形状のリブ３０を蓋体の裏側に形成することができる。また、鋳造された蓋体１４は、表面研削等の二次加工なしに蓋体１４を形成することができる。塩中子４３は、他の可溶性中子、例えば石灰中子に比べて、中子の製造が容易で、蓋体１４の鋳造後における中子除去作業も容易になる。
【００３７】
（３）蓋体１４は扁平であり、リブ３０は、蓋体１４の長手方向と交差する方向に延びる部分３０ａが、安全弁２７を挟んで少なくとも２箇所存在する。したがって、リブ３０に蓋体１４の長手方向と交差する方向に延びる部分３０ａが存在せず、長手方向に延びる部分だけ、あるいは長手方向と交差する方向に延びる部分３０ａが１箇所だけ存在する場合に比べて、蓋体１４の変形をより抑制することができる。
【００３８】
（４）リブ３０は、格子状に形成されており、蓋体１４の長手方向と交差する方向に延びる部分３０ａが安全弁２７を挟んで少なくとも２箇所存在するとともに、蓋体１４の長手方向に延びる部分も２箇所以上存在するため、蓋体１４の変形をより抑制することができる。
【００３９】
（５）蓋体１４の製造に使用する塩中子４３は、安全弁取り付け孔２８及びリブ３０を形成すべき箇所だけに対応して凸部４４ｂ及び溝４５ａが形成されたものではなく、注液孔２５、電極端子取り付け孔２９を形成すべき箇所にも対応して凸部４４ａ，４４ｃが形成され、リブ３１を形成すべき箇所にも対応して溝４５ｂが形成されている。したがって、複数の中子を使用する構成に比べて、金型の製造、組立が簡単になる。
【００４０】
実施形態は前記に限定されるものではなく、例えば、次のように具体化してもよい。
○  リブ３０は格子状に限らず、例えば、図４（ａ）に示すように、蓋体１４の長手方向と直交する方向に延びる部分３０ａが、安全弁２７を挟んで２箇所存在し、蓋体１４の長手方向に延びる部分３０ｂが安全弁２７を挟んで２箇所存在し、部分３０ａと部分３０ｂとが交差せずに存在してもよい。また、図４（ｂ）に示すように、リブ３０は、２個の部分３０ａと、２個の部分３０ｂとが矩形を成すように交互に連続する形状であってもよい。
【００４１】
○  蓋体１４の長手方向と交差する方向は、長手方向に対する角度が９０°±５°の範囲が好ましい。
○  リブ３０を構成する長手方向と直交する方向に延びる部分３０ａ及び蓋体１４の長手方向に延びる部分３０ｂの数は、注液孔２５及び安全弁取り付け孔２８と干渉しない状態で適宜変更してもよい。
【００４２】
○  リブ３０を構成する長手方向と直交する方向に延びる部分３０ａ及び蓋体１４の長手方向に延びる部分３０ｂは直線状に限らない。例えば、部分３０ａは、長手方向と交差する方向に延びる直線部がジグザグ状に連続したり、長手方向と直交する方向に延びる直線部と、長手方向と直交する方向に対して交差する方向に延びる直線部とが交互に連続したりする形状であってもよい。また、蓋体１４の長手方向に延びる部分３０ｂは、長手方向に傾いて延びる直線部がジグザグ状に連続したり、長手方向に延びる直線部と、長手方向に対して傾いて延びる直線部とが交互に連続したりする形状であってもよい。
【００４３】
○  リブ３０は、直線部のみで構成される必要はなく、例えば、全体が曲線部や波線部で構成されたり、直線部と曲線部あるいは波線部とで構成されたりしてもよい。
○  蓋体１４は、安全弁２７を開放する圧力が設定された圧力から逸脱しないように蓋体１４の変形を抑制するリブ３０を蓋体１４の裏側に有していればよく、安全弁２７を挟んで蓋体１４の長手方向と交差する方向に延びる部分が、少なくとも２箇所存在する必要はない。例えば、リブ３０が安全弁取り付け孔２８を囲む円形状であったり、同心円状に存在したりしてもよい。
【００４４】
○  安全弁２７の形状は円形に限らず、楕円形や長円形あるいは四角形等の多角形であってもよい。
○  蓋体１４を製造する際に、塩中子４３に代えて石灰中子を可溶性中子として使用してもよい。石灰中子の場合は、石灰を水で練ったものを使用して所望の形状の中間体を製作し、その中間体を焼き固めて中子を製造する。そのため、塩中子４３の方が石灰中子に比べて製造が容易である。また、蓋体１４を鋳造した後の中子の除去作業も塩中子４３の方が容易である。
【００４５】
○  蓋体１４を製造する際に使用する可溶性中子は、キャビティ４２の底部全体を覆い、注液孔２５、安全弁取り付け孔２８及び電極端子取り付け孔２９を形成すべき位置に、対応する形状の凸部４４ａ，４４ｂ，４４ｃが形成され、リブ３０，３１を形成すべき位置にそれぞれ対応する形状の溝４５ａ，４５ｂが形成されているものに限らない。例えば、注液孔２５、安全弁取り付け孔２８及び電極端子取り付け孔２９を形成すべき位置に、それぞれ対応する形状の凸部４４ａ，４４ｂ，４４ｃを有する独立した可溶性中子を設け、リブ３０，３１を形成すべき位置にそれぞれ対応する形状の溝４５ａ，４５ｂを有する独立した可溶性中子を設けてもよい。
【００４６】
○  注液孔２５及び安全弁取り付け孔２８を形成すべき位置に、それぞれ対応する形状の凸部４４ａ，４４ｂを有し、かつリブ３０を形成すべき位置に対応する形状の溝４５ａを有する可溶性中子を設けてもよい。
【００４７】
○  安全弁２７は、蓋体１４と一体形成されてもよい。安全弁２７が蓋体１４と一体形成されている場合は、安全弁２７を別体に形成して、蓋体１４に形成された安全弁取り付け孔２８に溶接する必要がない。
【００４８】
○  電解液を注入するための注液孔２５の位置は、安全弁取り付け孔２８と電極端子取り付け孔２９との中間に限らず、電極端子取り付け孔２９より蓋体１４の長手方向端部寄りに設けてもよい。
【００４９】
○  二次電池１０は、リチウムイオン二次電池に限らず、ニッケル水素二次電池やニッケルカドミウム二次電池等の他の二次電池であってもよい。
○  蓄電装置は、二次電池１０に限らず、例えば、リチウムイオンキャパシタのようなキャパシタであってもよい。
【００５０】
以下の技術的思想（発明）は前記実施形態から把握できる。
（１）請求項１〜請求項４のいずれか１項に記載の蓄電装置の蓋体の製造方法であって、金型内における前記蓋体に孔を形成すべき箇所に凸部を有し、前記蓋体の裏面のリブを形成すべき箇所に溝を有する可溶性中子を前記金型のキャビティ内にセットした状態で配置し、前記金型内にダイカスト鋳造でアルミニウム系金属を充填する蓄電装置の蓋体の製造方法。
【符号の説明】
【００５１】
１０…蓄電装置としての二次電池、１１…ケース、１２…電極組立体、１３…ケース本体、１４…蓋体、２７…安全弁、３０，３１…リブ、３０ａ，３０ｂ…部分、４３…可溶性中子としての塩中子。
【図１】
2014164850.tif 000003
【図２】
2014164850.tif 000004
【図３】
2014164850.tif 000005
【図４】
2014164850.tif 000006
【図５】
2014164850.tif 000007
【図６】
2014164850.tif 000008